【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
制御対象の制御を行う第一制御実行部であって制御装置が備える第一制御実行部による制御とは異なる制御を前記制御対象に対して行う第二制御実行部であって前記制御装置とは別体である制御切替装置が備える第二制御実行部の使用又は不使用の切替操作を受ける操作入力部と、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、
を備える制御切替装置。
【請求項２】
前記第二制御モードにて前記制御対象を制御させた場合の効果を表示する表示部を備える、請求項１に記載の制御切替装置。
【請求項３】
前記表示部は、前記第二制御モードにて前記制御対象を制御させた場合の効果を、前記第一制御モードにて前記制御対象を制御させた場合の効果との比較にて表示する、請求項２に記載の制御切替装置。
【請求項４】
前記表示部は、前記第一制御モードにて前記制御対象を制御させた場合の実測データに基づく運転結果情報と、前記第二制御モードにて前記制御対象を制御させた場合の実測データに基づく運転結果情報とを表示する、
請求項３に記載の制御切替装置。
【請求項５】
前記制御対象の運転パラメータの履歴と、前記第一制御モードにて、前記運転パラメータの履歴に示される運転パラメータを用いて前記制御対象を制御させた結果とを示す第一運転履歴情報を記憶する記憶部と、
前記第二制御モードにて、前記運転パラメータの履歴に示される運転パラメータを用いて前記制御対象を制御させた場合のシミュレーションを行って、シミュレーション結果を示す第二運転履歴情報を算出するシミュレーション実行部と、
を備え、
前記表示部は、前記第一運転履歴情報と前記第二運転履歴情報とを表示する、
請求項３に記載の制御切替装置。
【請求項６】
前記第二制御実行部による前記制御対象の制御の程度を示す利用情報を取得する利用情報取得部と、
前記利用情報に基づいて、前記第二制御実行部の利用に対する課金を計算する課金算出部と、
を備える請求項１から５の何れか一項に記載の制御切替装置。
【請求項７】
制御対象と、
前記制御対象の制御を行う第一制御実行部であって制御装置が備える第一制御実行部と、
前記制御対象に対して前記第一制御実行部による制御とは異なる制御を行う第二制御実行部であって前記制御装置とは別体である制御切替装置本体が備える第二制御実行部と、
前記第二制御実行部の使用又は不使用の切替操作を受ける操作入力部と、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、
を備えるプラント。
【請求項８】
前記第二制御モードにおける制御を実装するためのアプリケーションプログラムを生成するアプリケーション生成部と、
前記アプリケーションプログラムのインストールにより前記第二制御モードにおける制御を実装するアプリケーションインストール部と、
を備える請求項７に記載のプラント。
【請求項９】
制御対象の制御を行う第一制御実行部であって制御装置が備える第一制御実行部による制御とは異なる制御を前記制御対象に対して行う第二制御実行部であって前記制御装置とは別体である制御切替装置本体が備える第二制御実行部の使用又は不使用の切替操作を受け、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる
ことを含む制御切替方法。
【請求項１０】
コンピュータに、
制御対象の制御を行う第一制御実行部であって制御装置が備える第一制御実行部による制御とは異なる制御を前記制御対象に対して行う第二制御実行部であって前記制御装置とは別体である制御切替装置本体が備える第二制御実行部の使用又は不使用の切替操作を示す切替操作情報を取得させ、
前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる
ためのプログラム。
【手続補正２】
【補正対象書類名】明細書
【補正対象項目名】０００７
【補正方法】変更
【補正の内容】
【０００７】
本発明の第１の態様によれば、制御切替装置は、制御対象の制御を行う第一制御実行部であって制御装置が備える第一制御実行部による制御とは異なる制御を前記制御対象に対して行う第二制御実行部であって前記制御装置とは別体である制御切替装置が備える第二制御実行部の使用又は不使用の切替操作を受ける操作入力部と、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、を備える。
【手続補正３】
【補正対象書類名】明細書
【補正対象項目名】００１３
【補正方法】変更
【補正の内容】
【００１３】
本発明の第２の態様によれば、プラントは、制御対象と、前記制御対象の制御を行う第一制御実行部であって制御装置が備える第一制御実行部と、前記制御対象に対して前記第一制御実行部による制御とは異なる制御を行う第二制御実行部であって前記制御装置とは別体である制御切替装置本体が備える第二制御実行部と、前記第二制御実行部の使用又は不使用の切替操作を受ける操作入力部と、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させる制御切替部と、を備える。
【手続補正４】
【補正対象書類名】明細書
【補正対象項目名】００１５
【補正方法】変更
【補正の内容】
【００１５】
本発明の第３の態様によれば、制御切替方法は、制御対象の制御を行う第一制御実行部であって制御装置が備える第一制御実行部による制御とは異なる制御を前記制御対象に対して行う第二制御実行部であって前記制御装置とは別体である制御切替装置本体が備える第二制御実行部の使用又は不使用の切替操作を受け、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させることを含む。
【手続補正５】
【補正対象書類名】明細書
【補正対象項目名】００１６
【補正方法】変更
【補正の内容】
【００１６】
本発明の第４の態様によれば、プログラムは、コンピュータに、制御対象の制御を行う第一制御実行部であって制御装置が備える第一制御実行部による制御とは異なる制御を前記制御対象に対して行う第二制御実行部であって前記制御装置とは別体である制御切替装置本体が備える第二制御実行部の使用又は不使用の切替操作を示す切替操作情報を取得させ、前記第二制御実行部の使用を指示する操作が行われ、前記第二制御実行部に前記制御対象を制御させるモードである第二制御モードに遷移した場合、前記第一制御実行部による制御を停止させて前記第二制御実行部に前記制御対象を制御させ、若しくは、前記第一制御実行部及び前記第二制御実行部に前記制御対象を制御させ、前記第二制御実行部の不使用を指示する操作が行われ、前記第一制御実行部に前記制御対象を制御させるモードである第一制御モードに遷移した場合、前記第二制御実行部による制御を停止させて前記第一制御実行部に前記制御対象を制御させるためのプログラムである。